【事件の表示】
　平成　３年特許願第　８０１６６号「内視鏡の洗浄用ブラシ」拒絶査定に対する審判事件［平成　４年１１月　４日出願公開、特開平　４−３１２４３７］について、次のとおり審決する。
【結　論】
　本件審判の請求は、成り立たない。
【理　由】
１．　本願発明
　本願は、平成３年４月１２日の出願であって、本願の請求項１に係る発明は、平成１２年１１月 ７日付で補正された明細書および図面の記載からみて、その特許請求の範囲の請求項１に記載された次のとおりのものである（以下、「本願発明」という）。
「【請求項１】
　複数のワイヤの間に略垂直にブラシ毛を挟み込み、前記複数のワイヤを捩ることにより前記ブラシ毛を前記ワイヤに固定した内視鏡の洗浄用ブラシにおいて、
　前記複数のワイヤをループ状に折り曲げてループ部を形成して捩ることで、前記ブラシ毛が前方側へ突出するように先端植毛部を形成し、
　前記ループ部の後方の前記複数ワイヤを捩ることにより、前記ブラシ毛が前記洗浄用ブラシの軸方向に対して略垂直となる放射状植毛部を形成すると共に、　前記ループ部の外径を前記放射状植毛部の輪郭の外径より小さくしたことを特徴とする
　内視鏡の洗浄用ブラシ。」
　
２．引用刊行物
　当審の前置審査において通知された拒絶理由に引用された刊行物には、下記の事項が記載されている。
（１）刊行物１（ 実願平１−５０４４３号（実開平２−１４１４２３号）のマイクロフィルム）
　刊行物１には、管体内を摺動させる内視鏡用ブラシに関して（第１頁［産業上の利用分野］参照）、次のように記載されている。
（１ａ）　従来の内視鏡用ブラシ（１頁下から６行〜２頁１０行）
「　一般に内視鏡用として使用されているブラシは細胞等の組織を採取する細胞採取用ブラシや内視鏡の鉗子チャンネル内を洗浄する洗浄用ブラシ等がある。　これらの内視鏡用ブラシは実開昭６２−８７６１７号　実開昭６１−１８００９号に示されており、例えば第６図に示す細胞採取用ブラシ１ではブラシ毛２を軟質線の撚り合せたワイヤ３の間に挟み込むようにしてブラシ体４を形成し、ワイヤ３を別の操作ワイヤのー端に接続し、これらをガイドチューブ５内に挿通して操作ワイヤの他端に操作部６を設けてある。
　この操作部６によりブラシ体４はガイドチューブ５から突出する位置と収納する位置との間を移動させられる。このブラシ体４のブラシ毛２の先端は単に切断加工されているのみであり、ブラシ毛２の軸線方向にほぼ垂直な平面で形成され、外周はエッヂとなっている。」
（１ｂ） 第５図の実施例（６頁下から３行〜７頁１１行、第５図）
「　第５図は本考案の第４実施例である洗浄用ブラシ３０を示している。この洗浄用ブラシ３０は先端がブラシ毛３１を金属線３２で撚り込んでブラシ体３３を形成し、このブラシ体３３は撚り線ワイヤ３４、３５を捩って構成した金属ワイヤ３６の先端に差し込まれて半田３７で固着されている。基端側はループ状部３８を形成し、パイプ３９に挿入して半田で固着される。ここで、ブラシ本体３３のブラシ毛３１の先端は第２図乃至第４図に示した様に先端エッヂを加工して鈍先面とした食い込み防止手段で形成されている。
　この洗浄用ブラシ３０は内視鏡内の鉗子チャンネル等に挿入して、チャンネル内に付着した汚物等を掃除する。」
　
（２）刊行物２（実公昭３０−１４４８４号公報）
　刊行物２には、「瓶類掃除用刷子」について、「本案は金属線１にビニール樹脂管２を被装した条線Ａ，Ｂにて柄杆６及び上部に毛体３の中央部を挟みて毛虫状に捻廻しこの捻回時に生ずる摩擦熱によりビニール樹脂管２の一時的溶化にて毛体３の挟着部を完全に喰込ましめると共に先端部の条線Ａ，Ｂ捻回部に針金４の一部を毛体３と同様に挟着し該針金４により先端刷毛部５の束締捲装をなしたものである。」と記載されている（１頁左欄７行〜１４行）とともに、第２図には、条線Ａ、Ｂで多数の毛体３を挟み捻回してブラシの軸線廻りに放射状に突出して形成したブラシ部の先に、ブラシの軸線先端方向に毛先が向いている先端刷毛部５を設け、その先端刷毛部５の外径をブラシ軸線廻りに放射状に突出する毛体３の輪郭の外径より小さくすることが図示されている。
　
（３）刊行物３（実願昭６３−２７８６５号（実開平１−１３１３１７号）のマイクロフィルム）
（３ａ）産業上の利用分野（１頁１４〜１６行）
「　本考案はツイストブラシに係り、特に孔又は管の奥部を良好に清掃あるいは研磨するよう構成したツイストブラシに関する。」
（３ｂ）従来技術のツイストブラシとその問題点（１頁１８行〜２頁１９行、第５図）
「一般に、孔又は管の内部を清掃あるいは研磨するのに使用されるツイストブラシとしては、第５図に示すものがある。第５図中、ツイストブラシ１は２本の芯線２が長手方向に沿って捩られ、ブラシ材３が芯線２の側方より螺線状に突出するように一対の芯線２間でブラシ材３を保持するようになっている。又、芯線２は一端２ａがブラシ材３より離間した位置で切断されて柄２ｃを形成し、又芯線２の他端２ｂはブラシ材３の近傍で切断される。そして、孔又は管（共に図示せず）の内部を清掃あるいは研磨するときは、芯線２の柄２ｃを持ってブラシ材３を孔又は管内に挿入し、ブラシ材３を孔又は管内で回転させたり、軸方向に往復運動させる。
　考案が解決しようとする問題点
　しかるに、上記従来のツイストブラシでは、ブラシ材３より先端側に切断された芯線２の端部２ｂが突出しているため、例えば孔又は管の奥の内壁に端部２ｂが当接してしまうことがあり、その場合孔又は管の奥にブラシ材３が当接せず奥部を清掃又は研磨することができないといった問題点がある。」
（３ｃ）別の従来技術のツイストブラシ（３頁９行〜１９行、第６図）
「又、上記のものとは別のツイストブラシとしては、第６図に示すものがある。第６図中、ツイストブラシ４は第５図に示すツイストブラシ１の先端側のブラシ材３が先端側に突出するようにワイヤ５等で結束されている。ツイストブラシ４では芯線２の端部２ｂより先端側に突出する先端ブラシ部６を有するため、試験管を割ることなく内部を清掃できるが、試験管の有底部の隅を清掃できないといった問題点がある。又、前述した油圧機器においても、ツイストブラシ４では、孔と孔とが接続する角部を研磨できない。」
（３ｄ）刊行物３の考案（３頁２０行〜４頁８行）
「　そこで、本考案は上記周辺点を解決したチューブブラシを提供することを目的とする。
　問題点を解決するための手段および作用
　本考案は、上記ツイストブラシにおいて、芯線間に保持されたブラシ材が芯線の端部より先端側に突出するようにブラシ材を保持する芯線の先端部を折り返してなり、孔又は管等の奥部及び奥部の隅を良好に清掃又は研磨できるようにしたものである。」
（３ｅ）ツイストブラシの実施例（４頁１０行〜５頁７行、第１図〜第３図）
「　第１図乃至第３図に本考案になるツイストブラシの一実施例を示す。
　各図中、ツイストブラシ１１はＵ字状に二つ折りとされた芯線１２の間で複数本のブラシ材を保持してなり、芯線１２は後述するように捩られて螺旋形状ブラシ部１３が形成されるようにブラシ材を保持する。
　尚、ブラシ材の材質としては、・・・使用される。
　芯線１２の一端は長手方向に延在し柄１４を形成する。又、芯線１２の他端であるＵ字状先端部１５は逆方向に折り返されており、先端部１５により先端側に突出する幅広の第１の先端ブラシ部１６と、第１の先端ブラシ部１６と直交する向きで先端の両側に突出する第２の先端ブラシ部１７とが保持される。」
（３ｆ）２本の芯線の使用（８頁８行〜１３行）
「　尚、上記実施例では一本の芯線を二つ折りにしたＵ字状の芯線を用いたが、これに限らず、例えば２本の直線状の芯線の間にブラシ材を介在させ、２本の芯線を捩り加工した後、ブラシ材を保持する芯線の端部を逆方向に折り返すようにしても良いのは勿論である。」
（３ｇ）考案の効果（８頁１５行〜９頁４行）
「　上述の如く、本考案になるツイストブラシは、ブラシ材を保持する芯線の先端部を逆方向に折り返すことにより、ブラシ材を芯線より先端側に幅広く突出させれるので、例えば試験管を割ることなく清掃でき、しかも試験管の有底部の隅等の汚れも良好に除去できる。又、切削加工された孔の奥部の角部及び孔と孔と接続角部に発生したバリを良好に取り除くことができ、孔及び管の内壁をくまなく清掃又は研摩することができる等の特長を有する。」
　
（４）刊行物４（実願昭６１−１０７０５１号（実開昭６３−１３２４０号）のマイクロフィルム）
　刊行物４には、化学実験で用いるガラスビンやビーカ、試験管、フラスコ等の洗浄に使用する洗浄ブラシの改良に関し、従来のこの種の洗浄ブラシにおいて、洗浄ブラシの先端毛部が、洗浄ブラシ金属柄２の先端取付部３に糸４で結ばれており、洗浄時に結んでいる糸４がゆるんだり、結びがはずれて金属柄の先端取付部３が露出し、これが洗浄容器の底部に当り、容器を突き破って破損させることがある等の問題点があること（１頁１９行〜２頁１２行、第４図参照）、かかる問題点を解決するために、「この考案に係る洗浄ブラシは、金属柄の先端取付部を覆う弾性体のチューブを設けたものである。」と記載されている（２頁１７行〜３頁３行）。そして、刊行物４における洗浄ブラシの先端毛部１の外径も、前記刊行物２と同様、ブラシ軸線廻りに放射状に突出する毛体５の輪郭の外径より小さくすることが図示されている。
　
３．　対比・検討
（１）一致点・相違点
  ここで、本願発明と刊行物１に記載された発明とを対比する。
　刊行物１には、「内視鏡の鉗子チャンネル内を洗浄する洗浄用ブラシ」が記載されている（前記（１ａ）参照）。
  そして、この「内視鏡用のブラシ」は、例えば刊行物１の第６図に示されるように、ブラシ毛２を軟質線の撚り合せたワイヤ３の間に挟み込むようにしてブラシ体４を形成し、ワイヤ３を別の操作ワイヤのー端に接続し、これらをガイドチューブ５内に挿通して操作ワイヤの他端に操作部６を設けてある、ものである。
　そうすると、本願発明と刊行物１記載の発明とは、「複数のワイヤの間に略垂直にブラシ毛を挟み込み、前記複数のワイヤを捩ることにより前記ブラシ毛を前記ワイヤに固定した内視鏡の洗浄用ブラシにおいて、前記複数ワイヤを捩ることにより、前記ブラシ毛が前記洗浄用ブラシの軸方向に対して略垂直となる放射状植毛部を形成する内視鏡の洗浄用ブラシ」である点で一致するものの、 本願発明が、次の点を必須の構成とするのに対し、刊行物１にはこれらの点が記載されていない点で相違する。
（相違点１）
  前記複数のワイヤをループ状に折り曲げてループ部を形成して捩ることで、前記ブラシ毛が前方側へ突出するように先端植毛部を形成し、前記ループ部の後方の前記複数ワイヤを捩ることにより、前記放射状植毛部を形成する点。
（相違点２）
  前記ループ部の外径を前記放射状植毛部の輪郭の外径より小さくした点
　
（２）相違点についての検討
  そこで、これらの相違点について検討する。
　本願発明は、これらの相違点の構成により、「底部を有する管路の底部等にブラシ毛が当接し、その隅まで容易に清掃することができる。」という効果を奏する（平成10年 4月10日付け補正書【００３７】参照）
　しかしながら、複数のワイヤの間に略垂直にブラシ毛を挟み込み、前記複数のワイヤを捩ることにより前記ブラシ毛を前記ワイヤに固定した洗浄用のブラシにおいて、放射状植毛部に加えて、先端にブラシ毛が前方に突出する先端植毛部を形成することは、洗浄用ブラシの技術分野で周知のことあり（例えば、刊行物２〜刊行物４参照）、その形成目的および作用効果は、放射状植毛部だけでは洗浄対象物の底部や隅を十分洗浄できないので、それを解消するためであることは、前記（３ｃ）（３ｇ）（４）の記載からも明らかなことである。
　そして、そのような複数のワイヤの間に略垂直にブラシ毛を挟み込む洗浄用ブラシにおいては、ブラシ毛の突出方向はブラシ毛を挟み込むワイヤの方向によって決められるものである。そこで、先端にブラシ毛が前方に突出する先端植毛部を形成するに際し、複数のワイヤをループ状に折り曲げて、ワイヤの間に略垂直に挟み込まれたブラシ毛が前方側へ突出するように先端植毛部を形成することも刊行物３に示されている（前記（３ｆ）参照）し、ブラシ毛を挟み込む複数のワイヤをループ状に折り曲げてループ部を形成して捩れば、後方の放射状植毛部に対して、ワイヤの間に挟み込まれたブラシ毛が前方に突出する先端植毛部を形成できることは、いわゆる「亀の子たわし」や同種のブラシの先端部にみられるように、洗浄用ブラシの分野において、周知の事項にすぎない。また、先端植毛部を形成するワイヤの後方部分を放射状植毛部の形成に使用することも、刊行物３に記載の事項にすぎない。
　そうすると、刊行物１記載の内視鏡の洗浄用ブラシにおいて、放射状植毛部だけでなく、底部を有する管路の底部等にブラシ毛が当接し、その隅まで容易に清掃することができるようにブラシ毛が前方に突出する先端植毛部を付加形成する際に、ブラシ毛を挟み込む複数のワイヤをループ状に折り曲げてループ部を形成して捩ることで、ブラシ毛を前方に突出するよう挟み込んで先端植毛部を形成し、前記ループ部の後方の前記複数ワイヤで放射状植毛部を形成するようなことは、当業者が容易に想到し得る範囲内の事項である。
　また、一般に細い管路等に挿入する各種部材においては、挿入を円滑に行うため、後方の挿入部分に比べて先端部の外径を小さくするのが慣用手段であるから、本願のような細い管路等に挿入してその内壁や隅、底部を洗浄するブラシにおいて、後方の放射状植毛部の輪郭の外径に比べて、先端植毛部のループ部の外径をより小さくすることも、当業者であれば、普通に採用しうる設計事項にすぎない。
　
４．　むすび
　したがって、本願発明は、上記刊行物１に記載された発明および刊行物２〜刊行物４にも記載された周知技術に基づいて当業者が容易に発明できたものであるので、特許法第２９条第２項の規定により特許を受けることができない。
　よって、結論のとおり審決する。